【手続補正書】
【提出日】平成17年8月31日(2005.8.31)
【手続補正１】
【補正対象書類名】明細書
【補正対象項目名】特許請求の範囲
【補正方法】変更
【補正の内容】
【特許請求の範囲】
【請求項１】
放射線画像変換パネル上の放射線画像を読み取り、放射線画像情報を得る放射線画像読み取り方法であって、
前記放射線画像変換パネルに対応したパネル識別情報を読み取り、前記放射線画像変換パネルに関する情報を得るステップと、
前記放射線画像変換パネルに関する情報に基づいて、前記放射線画像変換パネルの使用期限に関する情報を警告するステップと、
を有することを特徴とする放射線画像読み取り方法。
【請求項２】
前記警告するステップは、前記放射線画像変換パネルの使用期限に関する情報を表示することにより行われる、
ことを特徴とする請求項１記載の放射線画像読み取り方法。
【請求項３】
前記警告するステップは、前記放射線画像変換パネルの使用期限を警告、または、前記放射線画像変換パネルの使用期間が終了したことを警告することにより行われる、
ことを特徴とする請求項１記載の放射線画像読み取り方法。
【請求項４】
前記警告するステップは、前記放射線画像変換パネルに関する情報に基づいて、前記放射線画像変換パネルの使用期限を求めるステップを有する、
ことを特徴とする請求項１記載の放射線画像読み取り方法。
【請求項５】
前記放射線画像変換パネルに関する情報を得るステップは、前記放射線画像変換パネルまたは前記放射線画像変換パネルを収容するカセッテに付された前記パネル識別情報を読み取ることにより、前記放射線画像変換パネルに関する情報を得る、
ことを特徴とする請求項１記載の放射線画像読み取り方法。
【請求項６】
放射線画像変換パネル上の放射線画像を読み取り、放射線画像情報を得る放射線画像読み取り装置であって、
放射線画像変換パネル上の放射線画像を読み取り、放射線画像情報を得るための画像読み取り手段と、
前記放射線画像変換パネルに対応したパネル識別情報を読み取り、前記放射線画像変換パネルに関する情報を得るための識別情報読み取り手段と、
前記放射線画像変換パネルに関する情報に基づいて、前記放射線画像変換パネルの使用期限に関する情報を警告する警告手段と、
を備えたことを特徴とする放射線画像読み取り装置。
【請求項７】
前記放射線画像変換パネルに関する情報に基づいて、前記放射線画像変換パネルの使用期限に関する情報を得るための期限管理手段を備えたことを特徴とする請求項６記載の放射線画像読み取り装置。
【請求項８】
前記警告手段は、画像表示手段である、
ことを特徴とする請求項６記載の放射線画像読み取り装置。
【請求項９】
前記警告手段は、前記放射線画像変換パネルの使用期限を警告、または、前記放射線画像変換パネルの使用期間が終了したことを警告する、
ことを特徴とする請求項６記載の放射線画像読み取り装置。
【請求項１０】
前記識別情報読み取り手段は、前記放射線画像変換パネルまたは前記放射線画像変換パネルを収容するカセッテに付された前記パネル識別情報を読み取ることにより、前記放射線画像変換パネルに関する情報を得る、
ことを特徴とする請求項６記載の放射線画像読み取り装置。
【請求項１１】
前記放射線画像変換パネルに関する情報は、前記放射線画像変換パネルを構成する蛍光体の種類に関する情報である、
ことを特徴とする請求項６記載の放射線画像読み取り装置。
【請求項１２】
放射線画像変換パネル上に放射線画像を生成する放射線画像撮影方法であって、
前記放射線画像変換パネルに対応したパネル識別情報を読み取り、前記放射線画像変換パネルに関する情報を得るステップと、
前記放射線画像変換パネルに関する情報に基づいて、撮影を実行するステップと、
を有することを特徴とする放射線画像撮影方法。
【請求項１３】
前記放射線画像変換パネルに関する情報を得るステップは、前記放射線画像変換パネルに関する情報として前記放射線画像変換パネルの製造時期，前記放射線画像変換パネルのバージョン，前記放射線画像変換パネルのフェーディング特性または前記放射線画像変換パネルを構成する材料に関する情報を得る、
ことを特徴とする請求項１２記載の放射線画像撮影方法。
【請求項１４】
前記放射線画像変換パネルに関する情報を得るステップは、前記放射線画像変換パネルまたは前記放射線画像変換パネルを収容するカセッテに付された前記パネル識別情報を読み取ることにより、前記放射線画像変換パネルに関する情報を得る、
ことを特徴とする請求項１２記載の放射線画像撮影方法。
【請求項１５】
前記放射線画像変換パネルに関する情報を得るステップは、前記放射線画像変換パネルに関する情報として前記放射線画像変換パネルを構成する蛍光体の種類に関する情報を得る、
ことを特徴とする請求項１２記載の放射線画像撮影方法。
【請求項１６】
前記撮影を実行するステップは、前記放射線画像変換パネルに関する情報に基づいて撮影条件を決定し、前記撮影条件に基づいて撮影を実行する、
ことを特徴とする請求項１２記載の放射線画像撮影方法。
【請求項１７】
放射線画像変換パネル上に放射線画像を生成する放射線画像撮影装置であって、
前記放射線画像変換パネルに対応したパネル識別情報を読み取り、前記放射線画像変換パネルに関する情報を得るための識別情報読み取り手段と、
前記放射線画像変換パネルに関する情報に基づいて、撮影を実行する放射線照射手段と、
を備えたことを特徴とする放射線画像撮影装置。
【請求項１８】
前記放射線画像変換パネルに関する情報は、前記放射線画像変換パネルの製造時期，前記放射線画像変換パネルのバージョン，前記放射線画像変換パネルのフェーディング特性または前記放射線画像変換パネルを構成する材料に関する情報である、
ことを特徴とする請求項１７記載の放射線画像撮影装置。
【請求項１９】
前記識別情報読み取り手段は、前記放射線画像変換パネルまたは前記放射線画像変換パネルを収容するカセッテに付された前記パネル識別情報を読み取る、
ことを特徴とする請求項１７記載の放射線画像撮影装置。
【請求項２０】
前記放射線画像変換パネルに関する情報は、前記放射線画像変換パネルを構成する蛍光体の種類に関する情報である、
ことを特徴とする請求項１７記載の放射線画像撮影装置。
【請求項２１】
前記放射線画像変換パネルに関する情報に基づいて、撮影を実行するための撮影条件を得る撮影条件決定手段を備えたことを特徴とする請求項１７記載の放射線画像撮影装置。
【手続補正２】
【補正対象書類名】明細書
【補正対象項目名】０００９
【補正方法】変更
【補正の内容】
【０００９】
【課題を解決するための手段】従って、課題を解決する手段としての発明は、以下に説明するものである。
（１）請求項に記載されない発明は、放射線画像変換パネル上の放射線画像を読み取り、放射線画像情報を得る放射線画像読み取り方法であって、前記放射線画像変換パネルに対応したパネル識別情報を読み取り、前記放射線画像変換パネルに関する情報を得るステップと、前記放射線画像変換パネルに関する情報に基づいて、前記放射線画像情報に画像処理を施すステップと、を有することを特徴とする放射線画像読み取り方法である。
【手続補正３】
【補正対象書類名】明細書
【補正対象項目名】００１０
【補正方法】変更
【補正の内容】
【００１０】
この発明では、放射線画像変換パネルに応じて放射線画像情報に画像処理を施すことができ、より診断に適切な放射線画像情報を得ることができる。
（２）請求項に記載されない他の発明は、前記放射線画像変換パネルに関する情報を得るステップは、前記放射線画像変換パネルに関する情報として前記放射線画像変換パネルの製造時期，前記放射線画像変換パネルのバージョン，前記放射線画像変換パネルのフェーディング特性または前記放射線画像変換パネルを構成する材料に関する情報を得る、ことを特徴とする（１）の放射線画像読み取り方法である。
【手続補正４】
【補正対象書類名】明細書
【補正対象項目名】００１２
【補正方法】変更
【補正の内容】
【００１２】
（３）請求項に記載されない他の発明は、前記放射線画像変換パネルに関する情報を得るステップは、前記放射線画像変換パネルまたは前記放射線画像変換パネルを収容するカセッテに付された前記パネル識別情報を読み取ることにより、前記放射線画像変換パネルに関する情報を得る、ことを特徴とする（１）の放射線画像読み取り方法である。
【手続補正５】
【補正対象書類名】明細書
【補正対象項目名】００１４
【補正方法】変更
【補正の内容】
【００１４】
（４）請求項に記載されない他の発明は、前記放射線画像変換パネルに関する情報を得るステップは、前記放射線画像変換パネルに関する情報として前記放射線画像変換パネルを構成する蛍光体の種類に関する情報を得る、ことを特徴とする（２）の放射線画像読み取り方法である。
【手続補正６】
【補正対象書類名】明細書
【補正対象項目名】００１６
【補正方法】変更
【補正の内容】
【００１６】
（５）請求項に記載されない他の発明は、前記放射線画像変換パネルに関する情報を得るステップは、前記パネル識別情報としてのＩＤ情報を読み取り、該ＩＤ情報から装置に記憶されているバージョンに関する情報を読み出す、ことを特徴とする（１）の放射線画像読み取り方法である。
【手続補正７】
【補正対象書類名】明細書
【補正対象項目名】００１８
【補正方法】変更
【補正の内容】
【００１８】
（６）請求項に記載されない他の発明は、放射線画像変換パネル上の放射線画像を読み取り、放射線画像情報を得る放射線画像読み取り装置であって、放射線画像変換パネル上の放射線画像を読み取り、放射線画像情報を得るための画像読み取り手段と、前記放射線画像変換パネルに対応したパネル識別情報を読み取り、前記放射線画像変換パネルに関する情報を得るための識別情報読み取り手段と、前記放射線画像情報に画像処理を施す画像処理手段と、前記放射線画像変換パネルに関する情報に基づいて、前記放射線画像情報に画像処理を施すように前記画像処理手段を制御する制御手段と、を備えたことを特徴とする放射線画像読み取り装置である。
【手続補正８】
【補正対象書類名】明細書
【補正対象項目名】００１９
【補正方法】変更
【補正の内容】
【００１９】
この発明では、放射線画像変換パネルに応じて放射線画像情報に画像処理を施すことができ、より診断に適切な放射線画像情報を得ることができる。
（７）請求項に記載されない他の発明は、前記放射線画像変換パネルに関する情報は、前記放射線画像変換パネルの製造時期，前記放射線画像変換パネルのバージョン，前記放射線画像変換パネルのフェーディング特性または前記放射線画像変換パネルを構成する材料に関する情報であり、前記放射線画像変換パネルに関する情報を記憶する記憶手段を備える、ことを特徴とする（６）の放射線画像読み取り装置である。
【手続補正９】
【補正対象書類名】明細書
【補正対象項目名】００２１
【補正方法】変更
【補正の内容】
【００２１】
（８）請求項に記載されない他の発明は、前記識別情報読み取り手段は、前記放射線画像変換パネルまたは前記放射線画像変換パネルを収容するカセッテに付された前記パネル識別情報を読み取ることにより、前記放射線画像変換パネルに関する情報を得る、ことを特徴とする（６）の放射線画像読み取り装置である。
【手続補正１０】
【補正対象書類名】明細書
【補正対象項目名】００２３
【補正方法】変更
【補正の内容】
【００２３】
（９）請求項に記載されない他の発明は、前記放射線画像変換パネルに関する情報は、前記放射線画像変換パネルを構成する蛍光体の種類に関する情報である、ことを特徴とする（６）の放射線画像読み取り装置である。
【手続補正１１】
【補正対象書類名】明細書
【補正対象項目名】００２５
【補正方法】変更
【補正の内容】
【００２５】
（１０）請求項１記載の発明は、放射線画像変換パネル上の放射線画像を読み取り、放射線画像情報を得る放射線画像読み取り方法であって、前記放射線画像変換パネルに対応したパネル識別情報を読み取り、前記放射線画像変換パネルに関する情報を得るステップと、前記放射線画像変換パネルに関する情報に基づいて、前記放射線画像変換パネルの使用期限に関する情報を警告するステップと、を有することを特徴とする放射線画像読み取り方法である。
【手続補正１２】
【補正対象書類名】明細書
【補正対象項目名】００２６
【補正方法】変更
【補正の内容】
【００２６】
この発明では、使用期間の終了した放射線画像変換パネルを用いることによる画質の低下を抑制でき、より診断に適切な放射線画像情報を得ることができる。
（１１）請求項２記載の発明は、前記警告するステップは、前記放射線画像変換パネルの使用期限に関する情報を表示することにより行われる、ことを特徴とする請求項１記載の放射線画像読み取り方法である。
【手続補正１３】
【補正対象書類名】明細書
【補正対象項目名】００２８
【補正方法】変更
【補正の内容】
【００２８】
（１２）請求項３記載の発明は、前記警告するステップは、前記放射線画像変換パネルの使用期限を警告、または、前記放射線画像変換パネルの使用期間が終了したことを警告することにより行われる、ことを特徴とする請求項１記載の放射線画像読み取り方法である。
【手続補正１４】
【補正対象書類名】明細書
【補正対象項目名】００３０
【補正方法】変更
【補正の内容】
【００３０】
（１３）請求項４記載の発明は、前記警告するステップは、前記放射線画像変換パネルに関する情報に基づいて、前記放射線画像変換パネルの使用期限を求めるステップを有する、ことを特徴とする請求項１記載の放射線画像読み取り方法である。
【手続補正１５】
【補正対象書類名】明細書
【補正対象項目名】００３２
【補正方法】変更
【補正の内容】
【００３２】
（１４）請求項５記載の発明は、前記放射線画像変換パネルに関する情報を得るステップは、前記放射線画像変換パネルまたは前記放射線画像変換パネルを収容するカセッテに付された前記パネル識別情報を読み取ることにより、前記放射線画像変換パネルに関する情報を得る、ことを特徴とする請求項１記載の放射線画像読み取り方法である。
【手続補正１６】
【補正対象書類名】明細書
【補正対象項目名】００３４
【補正方法】変更
【補正の内容】
【００３４】
（１５）請求項６記載の発明は、放射線画像変換パネル上の放射線画像を読み取り、放射線画像情報を得る放射線画像読み取り装置であって、放射線画像変換パネル上の放射線画像を読み取り、放射線画像情報を得るための画像読み取り手段と、前記放射線画像変換パネルに対応したパネル識別情報を読み取り、前記放射線画像変換パネルに関する情報を得るための識別情報読み取り手段と、前記放射線画像変換パネルに関する情報に基づいて、前記放射線画像変換パネルの使用期限に関する情報を警告する警告手段と、を備えたことを特徴とする放射線画像読み取り装置である。
【手続補正１７】
【補正対象書類名】明細書
【補正対象項目名】００３５
【補正方法】変更
【補正の内容】
【００３５】
この発明では、使用期間の終了した放射線画像変換パネルを用いることによる画質の低下を抑制でき、より診断に適切な放射線画像情報を得ることができる。
（１６）請求項７記載の発明は、前記放射線画像変換パネルに関する情報に基づいて、前記放射線画像変換パネルの使用期限に関する情報を得るための期限管理手段を備えたことを特徴とする請求項６記載の放射線画像読み取り装置である。
【手続補正１８】
【補正対象書類名】明細書
【補正対象項目名】００３７
【補正方法】変更
【補正の内容】
【００３７】
（１７）請求項８記載の発明は、前記警告手段は、画像表示手段である、ことを特徴とする請求項６記載の放射線画像読み取り装置である。この発明では、使用期限の情報を画像表示する警告により、使用期間の終了した放射線画像変換パネルを用いることによる画質の低下を抑制でき、より診断に適切な放射線画像情報を得ることができる。
【手続補正１９】
【補正対象書類名】明細書
【補正対象項目名】００３８
【補正方法】変更
【補正の内容】
【００３８】
（１８）請求項９記載の発明は、前記警告手段は、前記放射線画像変換パネルの使用期限を警告、または、前記放射線画像変換パネルの使用期間が終了したことを警告する、ことを特徴とする請求項６記載の放射線画像読み取り装置である。
【手続補正２０】
【補正対象書類名】明細書
【補正対象項目名】００４０
【補正方法】変更
【補正の内容】
【００４０】
（１９）請求項１０記載の発明は、前記識別情報読み取り手段は、前記放射線画像変換パネルまたは前記放射線画像変換パネルを収容するカセッテに付された前記パネル識別情報を読み取ることにより、前記放射線画像変換パネルに関する情報を得る、ことを特徴とする請求項６記載の放射線画像読み取り装置である。
【手続補正２１】
【補正対象書類名】明細書
【補正対象項目名】００４２
【補正方法】変更
【補正の内容】
【００４２】
（２０）請求項１１記載の発明は、前記放射線画像変換パネルに関する情報は、前記放射線画像変換パネルを構成する蛍光体の種類に関する情報である、ことを特徴とする請求項６記載の放射線画像読み取り装置である。
【手続補正２２】
【補正対象書類名】明細書
【補正対象項目名】００４４
【補正方法】変更
【補正の内容】
【００４４】
（２１）請求項に記載されない他の発明は、放射線画像を蓄積可能な放射線画像変換パネルであって、前記放射線画像変換パネルの製造時期，前記放射線画像変換パネルのバージョン，前記放射線画像変換パネルのフェーディング特性または前記放射線画像変換パネルを構成する材料に関するパネル識別情報が付与されている、ことを特徴とする放射線画像変換パネルである。
【手続補正２３】
【補正対象書類名】明細書
【補正対象項目名】００４６
【補正方法】変更
【補正の内容】
【００４６】
（２２）請求項に記載されない他の発明は、前記放射線画像変換パネルを構成する材料に関する情報は、蛍光体の種類に関する情報である、ことを特徴とする（２１）記載の放射線画像変換パネルである。
【手続補正２４】
【補正対象書類名】明細書
【補正対象項目名】００４８
【補正方法】変更
【補正の内容】
【００４８】
（２３）請求項に記載されない他の発明は、放射線画像を蓄積可能な放射線画像変換パネルを収容するカセッテであって、前記放射線画像変換パネルを収容可能な収容部と、前記放射線画像変換パネルの製造時期，前記放射線画像変換パネルのバージョン，前記放射線画像変換パネルのフェーディング特性または前記放射線画像変換パネルを構成する材料に関するパネル識別情報が付与されているパネル識別部と、を備えたことを特徴とするカセッテである。
【手続補正２５】
【補正対象書類名】明細書
【補正対象項目名】００５０
【補正方法】変更
【補正の内容】
【００５０】
（２４）請求項に記載されない他の発明は、前記放射線画像変換パネルを構成する材料に関する情報は、蛍光体の種類に関する情報である、ことを特徴とする（２３）記載のカセッテである。
【手続補正２６】
【補正対象書類名】明細書
【補正対象項目名】００５２
【補正方法】変更
【補正の内容】
【００５２】
（２５）請求項に記載されない他の発明は、放射線画像変換パネル上の放射線画像を読み取り、放射線画像情報を得る放射線画像読み取り方法であって、前記放射線画像変換パネルに対応したパネル識別情報を読み取り、前記放射線画像変換パネルに関する情報を得るステップと、前記放射線画像変換パネルに関する情報に基づいて、前記放射線画像変換パネルに蓄積された放射線画像情報を読み取るための読み取り条件を得るステップと、前記読み取り条件に基づいて、放射線画像変換パネルに蓄積された放射線画像を読み取り、放射線画像情報を得るステップと、を有することを特徴とする放射線画像読み取り方法である。
【手続補正２７】
【補正対象書類名】明細書
【補正対象項目名】００５４
【補正方法】変更
【補正の内容】
【００５４】
（２６）請求項に記載されない他の発明は、前記読み取り条件を得るステップは、前記読み取り条件として前記放射線画像変換パネルに蓄積された放射線画像を読み取るための感度、または、レーザの種類に関する情報を得る、ことを特徴とする（２５）記載の放射線画像読み取り方法である。
【手続補正２８】
【補正対象書類名】明細書
【補正対象項目名】００５６
【補正方法】変更
【補正の内容】
【００５６】
（２７）請求項に記載されない他の発明は、前記読み取り条件を得るステップは、前記読み取り条件として、前記放射線画像変換パネルに蓄積された放射線画像を読み取るための感度を補正するための情報を得る、ことを特徴とする（２５）記載の放射線画像読み取り方法である。
【手続補正２９】
【補正対象書類名】明細書
【補正対象項目名】００５８
【補正方法】変更
【補正の内容】
【００５８】
（２８）請求項に記載されない他の発明は、前記放射線画像変換パネルに関する情報を得るステップは、前記放射線画像変換パネルまたは前記放射線画像変換パネルを収容するカセッテに付された前記パネル識別情報を読み取ることにより、前記放射線画像変換パネルに関する情報を得る、ことを特徴とする（２５）記載の放射線画像読み取り方法である。
【手続補正３０】
【補正対象書類名】明細書
【補正対象項目名】００６０
【補正方法】変更
【補正の内容】
【００６０】
（２９）請求項に記載されない他の発明は、前記放射線画像変換パネルに関する情報を得るステップは、前記放射線画像変換パネルに関する情報として前記放射線画像変換パネルの製造時期，前記放射線画像変換パネルのバージョン，前記放射線画像変換パネルのフェーディング特性または前記放射線画像変換パネルを構成する材料に関する情報を得る、ことを特徴とする（２５）記載の放射線画像読み取り方法である。
【手続補正３１】
【補正対象書類名】明細書
【補正対象項目名】００６２
【補正方法】変更
【補正の内容】
【００６２】
（３０）請求項に記載されない他の発明は、放射線画像変換パネル上の放射線画像を読み取り、放射線画像情報を得る放射線画像読み取り装置であって、放射線画像変換パネル上の放射線画像を読み取り、放射線画像情報を得るための画像読み取り手段と、前記放射線画像変換パネルに対応したパネル識別情報を読み取り、前記放射線画像変換パネルに関する情報を得るための識別情報読み取り手段と、前記放射線画像変換パネルに関する情報に基づいて、前記放射線画像変換パネルに蓄積された放射線画像情報を読み取るための読み取り条件を得る読み取り条件決定手段と、を備えたことを特徴とする放射線画像読み取り装置である。
【手続補正３２】
【補正対象書類名】明細書
【補正対象項目名】００６４
【補正方法】変更
【補正の内容】
【００６４】
（３１）請求項に記載されない他の発明は、前記読み取り条件に基づいて、前記放射線画像変換パネル上の放射線画像を読み取るように前記画像読み取り手段を制御するための制御手段を備えたことを特徴とする（３０）記載の放射線画像読み取り装置である。
【手続補正３３】
【補正対象書類名】明細書
【補正対象項目名】００６６
【補正方法】変更
【補正の内容】
【００６６】
（３２）請求項に記載されない他の発明は、前記放射線画像変換パネルに関する情報と前記読み取り条件とを対応付けて記憶する記憶手段とを備えたことを特徴とする（３１）記載の放射線画像読み取り装置である。
【手続補正３４】
【補正対象書類名】明細書
【補正対象項目名】００６８
【補正方法】変更
【補正の内容】
【００６８】
（３３）請求項に記載されない他の発明は、前記読み取り条件は、前記放射線画像変換パネルに蓄積された放射線画像を読み取るための感度、または、レーザの種類に関する情報である、ことを特徴とする（３１）記載の放射線画像読み取り装置である。
【手続補正３５】
【補正対象書類名】明細書
【補正対象項目名】００７０
【補正方法】変更
【補正の内容】
【００７０】
（３４）請求項に記載されない他の発明は、前記読み取り条件は、前記放射線画像変換パネルに蓄積された放射線画像を読み取るための感度を補正するための情報である、ことを特徴とする（３３）記載の放射線画像読み取り装置である。
【手続補正３６】
【補正対象書類名】明細書
【補正対象項目名】００７２
【補正方法】変更
【補正の内容】
【００７２】
（３５）請求項に記載されない他の発明は、前記放射線画像変換パネルに関する情報は、前記放射線画像変換パネルの製造時期，前記放射線画像変換パネルのバージョン，前記放射線画像変換パネルのフェーディング特性または前記放射線画像変換パネルを構成する材料に関する情報である、ことを特徴とする（３１）記載の放射線画像読み取り装置である。
【手続補正３７】
【補正対象書類名】明細書
【補正対象項目名】００７４
【補正方法】変更
【補正の内容】
【００７４】
（３６）請求項に記載されない他の発明は、前記識別情報読み取り手段は、前記放射線画像変換パネルまたは前記放射線画像変換パネルを収容するカセッテに付された前記パネル識別情報を読み取る、ことを特徴とする（３１）記載の放射線画像読み取り装置である。
【手続補正３８】
【補正対象書類名】明細書
【補正対象項目名】００７６
【補正方法】変更
【補正の内容】
【００７６】
（３７）請求項に記載されない他の発明は、放射線画像変換パネル上の放射線画像を読み取り、放射線画像情報を得る放射線画像読み取り方法であって、前記放射線画像変換パネルに対応したパネル識別情報を読み取り、前記放射線画像変換パネルに関する情報を得るステップと、前記放射線画像変換パネルに関する情報に基づいて、放射線画像変換パネル上の残像を消去するステップと、を有することを特徴とする放射線画像読み取り方法である。
【手続補正３９】
【補正対象書類名】明細書
【補正対象項目名】００７８
【補正方法】変更
【補正の内容】
【００７８】
（３８）請求項に記載されない他の発明は、前記放射線画像変換パネルに関する情報を得るステップは、前記放射線画像変換パネルに関する情報として前記放射線画像変換パネルの製造時期，前記放射線画像変換パネルのバージョン，前記放射線画像変換パネルのフェーディング特性または前記放射線画像変換パネルを構成する材料に関する情報を得る、ことを特徴とする（３７）記載の放射線画像読み取り方法である。
【手続補正４０】
【補正対象書類名】明細書
【補正対象項目名】００８０
【補正方法】変更
【補正の内容】
【００８０】
（３９）請求項に記載されない他の発明は、前記放射線画像変換パネルに関する情報を得るステップは、前記放射線画像変換パネルまたは前記放射線画像変換パネルを収容するカセッテに付された前記パネル識別情報を読み取ることにより、前記放射線画像変換パネルに関する情報を得る、ことを特徴とする（３７）記載の放射線画像読み取り方法である。
【手続補正４１】
【補正対象書類名】明細書
【補正対象項目名】００８２
【補正方法】変更
【補正の内容】
【００８２】
（４０）請求項に記載されない他の発明は、前記放射線画像変換パネルに関する情報を得るステップは、前記放射線画像変換パネルに関する情報として前記放射線画像変換パネルを構成する蛍光体の種類に関する情報を得る、ことを特徴とする（３７）記載の放射線画像読み取り方法である。
【手続補正４２】
【補正対象書類名】明細書
【補正対象項目名】００８４
【補正方法】変更
【補正の内容】
【００８４】
（４１）請求項に記載されない他の発明は、前記残像を消去するステップは、前記放射線画像変換パネルに関する情報に基づいて消去条件を決定し、前記消去条件に基づいて前記放射線画像変換パネル上の残像を消去する、ことを特徴とする（３７）記載の放射線画像読み取り方法である。
【手続補正４３】
【補正対象書類名】明細書
【補正対象項目名】００８６
【補正方法】変更
【補正の内容】
【００８６】
（４２）請求項に記載されない他の発明は、放射線画像変換パネル上の放射線画像を読み取り、放射線画像情報を得る放射線画像読み取り装置であって、放射線画像変換パネル上の放射線画像を読み取り、放射線画像情報を得るための画像読み取り手段と、前記放射線画像変換パネルに対応したパネル識別情報を読み取り、前記放射線画像変換パネルに関する情報を得るための識別情報読み取り手段と、前記放射線画像変換パネルに関する情報に基づいて、前記放射線画像変換パネル上の残像を消去する消去手段と、を備えたことを特徴とする放射線画像読み取り装置である。
【手続補正４４】
【補正対象書類名】明細書
【補正対象項目名】００８８
【補正方法】変更
【補正の内容】
【００８８】
（４３）請求項に記載されない他の発明は、前記放射線画像変換パネルに関する情報は、前記放射線画像変換パネルの製造時期，前記放射線画像変換パネルのバージョン，前記放射線画像変換パネルのフェーディング特性または前記放射線画像変換パネルを構成する材料に関する情報である、ことを特徴とする（４２）記載の放射線画像読み取り装置である。
【手続補正４５】
【補正対象書類名】明細書
【補正対象項目名】００９０
【補正方法】変更
【補正の内容】
【００９０】
（４４）請求項に記載されない他の発明は、前記識別情報読み取り手段は、前記放射線画像変換パネルまたは前記放射線画像変換パネルを収容するカセッテに付された前記パネル識別情報を読み取る、ことを特徴とする（４２）記載の放射線画像読み取り装置である。
【手続補正４６】
【補正対象書類名】明細書
【補正対象項目名】００９２
【補正方法】変更
【補正の内容】
【００９２】
（４５）請求項に記載されない他の発明は、前記放射線画像変換パネルに関する情報は、前記放射線画像変換パネルを構成する蛍光体の種類に関する情報である、ことを特徴とする（４２）記載の放射線画像読み取り装置である。
【手続補正４７】
【補正対象書類名】明細書
【補正対象項目名】００９４
【補正方法】変更
【補正の内容】
【００９４】
（４６）請求項に記載されない他の発明は、前記放射線画像変換パネルに関する情報に基づいて、前記放射線画像変換パネル上の残像を消去するための消去条件を得る消去条件決定手段を備えたことを特徴とする（４２）記載の放射線画像読み取り装置である。
【手続補正４８】
【補正対象書類名】明細書
【補正対象項目名】００９６
【補正方法】変更
【補正の内容】
【００９６】
（４７）請求項１２記載の発明は、放射線画像変換パネル上に放射線画像を生成する放射線画像撮影方法であって、前記放射線画像変換パネルに対応したパネル識別情報を読み取り、前記放射線画像変換パネルに関する情報を得るステップと、前記放射線画像変換パネルに関する情報に基づいて、撮影を実行するステップと、を有することを特徴とする放射線画像撮影方法である。
【手続補正４９】
【補正対象書類名】明細書
【補正対象項目名】００９８
【補正方法】変更
【補正の内容】
【００９８】
（４８）請求項１３記載の発明は、前記放射線画像変換パネルに関する情報を得るステップは、前記放射線画像変換パネルに関する情報として前記放射線画像変換パネルの製造時期，前記放射線画像変換パネルのバージョン，前記放射線画像変換パネルのフェーディング特性または前記放射線画像変換パネルを構成する材料に関する情報を得る、ことを特徴とする請求項１２記載の放射線画像撮影方法である。
【手続補正５０】
【補正対象書類名】明細書
【補正対象項目名】０１００
【補正方法】変更
【補正の内容】
【０１００】
（４９）請求項１４記載の発明は、前記放射線画像変換パネルに関する情報を得るステップは、前記放射線画像変換パネルまたは前記放射線画像変換パネルを収容するカセッテに付された前記パネル識別情報を読み取ることにより、前記放射線画像変換パネルに関する情報を得る、ことを特徴とする請求項１２記載の放射線画像撮影方法である。
【手続補正５１】
【補正対象書類名】明細書
【補正対象項目名】０１０２
【補正方法】変更
【補正の内容】
【０１０２】
（５０）請求項１５記載の発明は、前記放射線画像変換パネルに関する情報を得るステップは、前記放射線画像変換パネルに関する情報として前記放射線画像変換パネルを構成する蛍光体の種類に関する情報を得る、ことを特徴とする請求項１２記載の放射線画像撮影方法である。
【手続補正５２】
【補正対象書類名】明細書
【補正対象項目名】０１０４
【補正方法】変更
【補正の内容】
【０１０４】
（５１）請求項１６記載の発明は、前記撮影を実行するステップは、前記放射線画像変換パネルに関する情報に基づいて撮影条件を決定し、前記撮影条件に基づいて撮影を実行する、ことを特徴とする請求項１２記載の放射線画像撮影方法である。
【手続補正５３】
【補正対象書類名】明細書
【補正対象項目名】０１０６
【補正方法】変更
【補正の内容】
【０１０６】
（５２）請求項１７記載の発明は、放射線画像変換パネル上に放射線画像を生成する放射線画像撮影装置であって、前記放射線画像変換パネルに対応したパネル識別情報を読み取り、前記放射線画像変換パネルに関する情報を得るための識別情報読み取り手段と、前記放射線画像変換パネルに関する情報に基づいて、撮影を実行する放射線照射手段と、を備えたことを特徴とする放射線画像撮影装置である。
【手続補正５４】
【補正対象書類名】明細書
【補正対象項目名】０１０８
【補正方法】変更
【補正の内容】
【０１０８】
（５３）請求項１８記載の発明は、前記放射線画像変換パネルに関する情報は、前記放射線画像変換パネルの製造時期，前記放射線画像変換パネルのバージョン，前記放射線画像変換パネルのフェーディング特性または前記放射線画像変換パネルを構成する材料に関する情報である、ことを特徴とする請求項１７記載の放射線画像撮影装置である。
【手続補正５５】
【補正対象書類名】明細書
【補正対象項目名】０１１０
【補正方法】変更
【補正の内容】
【０１１０】
（５４）請求項１９記載の発明は、前記識別情報読み取り手段は、前記放射線画像変換パネルまたは前記放射線画像変換パネルを収容するカセッテに付された前記パネル識別情報を読み取る、ことを特徴とする請求項１７記載の放射線画像撮影装置である。
【手続補正５６】
【補正対象書類名】明細書
【補正対象項目名】０１１２
【補正方法】変更
【補正の内容】
【０１１２】
（５５）請求項２０記載の発明は、前記放射線画像変換パネルに関する情報は、前記放射線画像変換パネルを構成する蛍光体の種類に関する情報である、ことを特徴とする請求項１７記載の放射線画像撮影装置である。
【手続補正５７】
【補正対象書類名】明細書
【補正対象項目名】０１１４
【補正方法】変更
【補正の内容】
【０１１４】
（５６）請求項２１記載の発明は、前記放射線画像変換パネルに関する情報に基づいて、撮影を実行するための撮影条件を得る撮影条件決定手段を備えたことを特徴とする請求項１７記載の放射線画像撮影装置である。
【手続補正５８】
【補正対象書類名】明細書
【補正対象項目名】０１８０
【補正方法】削除
【補正の内容】
【手続補正５９】
【補正対象書類名】明細書
【補正対象項目名】０１８１
【補正方法】削除
【補正の内容】
【手続補正６０】
【補正対象書類名】明細書
【補正対象項目名】０１８２
【補正方法】削除
【補正の内容】
【手続補正６１】
【補正対象書類名】明細書
【補正対象項目名】０１８３
【補正方法】削除
【補正の内容】
【手続補正６２】
【補正対象書類名】明細書
【補正対象項目名】０１８４
【補正方法】削除
【補正の内容】
【手続補正６３】
【補正対象書類名】明細書
【補正対象項目名】０１８５
【補正方法】削除
【補正の内容】
【手続補正６４】
【補正対象書類名】明細書
【補正対象項目名】０１８６
【補正方法】削除
【補正の内容】
【手続補正６５】
【補正対象書類名】明細書
【補正対象項目名】０１８７
【補正方法】削除
【補正の内容】
【手続補正６６】
【補正対象書類名】明細書
【補正対象項目名】０１８８
【補正方法】削除
【補正の内容】
【手続補正６７】
【補正対象書類名】明細書
【補正対象項目名】０１８９
【補正方法】変更
【補正の内容】
【０１８９】
（１）請求項１記載の発明では、使用期間の終了した放射線画像変換パネルを用いることによる画質の低下を抑制でき、より診断に適切な放射線画像情報を得ることができる。
【手続補正６８】
【補正対象書類名】明細書
【補正対象項目名】０１９０
【補正方法】変更
【補正の内容】
【０１９０】
（２）請求項２記載の発明では、使用期限の情報を表示する警告により、使用期間の終了した放射線画像変換パネルを用いることによる画質の低下を抑制でき、より診断に適切な放射線画像情報を得ることができる。
【手続補正６９】
【補正対象書類名】明細書
【補正対象項目名】０１９１
【補正方法】変更
【補正の内容】
【０１９１】
（３）請求項３記載の発明では、使用期限またはその終了の警告により、使用期間の終了した放射線画像変換パネルを用いることによる画質の低下を抑制でき、より診断に適切な放射線画像情報を得ることができる。
【手続補正７０】
【補正対象書類名】明細書
【補正対象項目名】０１９２
【補正方法】変更
【補正の内容】
【０１９２】
（４）請求項４記載の発明では、放射線画像変換パネルからの情報に基づいて使用期限に関する警告をすることにより、使用期間の終了した放射線画像変換パネルを用いることによる画質の低下を抑制でき、より診断に適切な放射線画像情報を得ることができる。
【手続補正７１】
【補正対象書類名】明細書
【補正対象項目名】０１９３
【補正方法】変更
【補正の内容】
【０１９３】
（５）請求項５記載の発明では、放射線画像変換パネルまたはカセッテから読み取ったパネル識別情報に基づいて使用期限に関する警告をすることにより、使用期間の終了した放射線画像変換パネルを用いることによる画質の低下を抑制でき、より診断に適切な放射線画像情報を得ることができる。
【手続補正７２】
【補正対象書類名】明細書
【補正対象項目名】０１９４
【補正方法】変更
【補正の内容】
【０１９４】
（６）請求項６記載の発明では、使用期間の終了した放射線画像変換パネルを用いることによる画質の低下を抑制でき、より診断に適切な放射線画像情報を得ることができる。
【手続補正７３】
【補正対象書類名】明細書
【補正対象項目名】０１９５
【補正方法】変更
【補正の内容】
【０１９５】
（７）請求項７記載の発明では、期限管理手段の働きによって、使用期間の終了した放射線画像変換パネルを用いることによる画質の低下を抑制でき、より診断に適切な放射線画像情報を得ることができる。
【手続補正７４】
【補正対象書類名】明細書
【補正対象項目名】０１９６
【補正方法】変更
【補正の内容】
【０１９６】
（８）請求項８記載の発明では、使用期限の情報を画像表示する警告により、使用期間の終了した放射線画像変換パネルを用いることによる画質の低下を抑制でき、より診断に適切な放射線画像情報を得ることができる。
【手続補正７５】
【補正対象書類名】明細書
【補正対象項目名】０１９７
【補正方法】変更
【補正の内容】
【０１９７】
（９）請求項９記載の発明では、使用期限またはその終了の警告により、使用期間の終了した放射線画像変換パネルを用いることによる画質の低下を抑制でき、より診断に適切な放射線画像情報を得ることができる。
【手続補正７６】
【補正対象書類名】明細書
【補正対象項目名】０１９８
【補正方法】変更
【補正の内容】
【０１９８】
（１０）請求項１０記載の発明では、放射線画像変換パネルまたはカセッテから読み取ったパネル識別情報に基づいて使用期限に関する警告をすることにより、使用期間の終了した放射線画像変換パネルを用いることによる画質の低下を抑制でき、より診断に適切な放射線画像情報を得ることができる。
【手続補正７７】
【補正対象書類名】明細書
【補正対象項目名】０１９９
【補正方法】変更
【補正の内容】
【０１９９】
（１１）請求項１１記載の発明では、放射線画像変換パネルを構成する蛍光体の情報に応じて適切な使用期限に関する警告を施すことができ、使用期間の終了した放射線画像変換パネルを用いることによる画質の低下を抑制でき、より診断に適切な放射線画像情報を得ることができる。
【手続補正７８】
【補正対象書類名】明細書
【補正対象項目名】０２００
【補正方法】削除
【補正の内容】
【手続補正７９】
【補正対象書類名】明細書
【補正対象項目名】０２０１
【補正方法】削除
【補正の内容】
【手続補正８０】
【補正対象書類名】明細書
【補正対象項目名】０２０２
【補正方法】削除
【補正の内容】
【手続補正８１】
【補正対象書類名】明細書
【補正対象項目名】０２０３
【補正方法】削除
【補正の内容】
【手続補正８２】
【補正対象書類名】明細書
【補正対象項目名】０２０４
【補正方法】削除
【補正の内容】
【手続補正８３】
【補正対象書類名】明細書
【補正対象項目名】０２０５
【補正方法】削除
【補正の内容】
【手続補正８４】
【補正対象書類名】明細書
【補正対象項目名】０２０６
【補正方法】削除
【補正の内容】
【手続補正８５】
【補正対象書類名】明細書
【補正対象項目名】０２０７
【補正方法】削除
【補正の内容】
【手続補正８６】
【補正対象書類名】明細書
【補正対象項目名】０２０８
【補正方法】削除
【補正の内容】
【手続補正８７】
【補正対象書類名】明細書
【補正対象項目名】０２０９
【補正方法】削除
【補正の内容】
【手続補正８８】
【補正対象書類名】明細書
【補正対象項目名】０２１０
【補正方法】削除
【補正の内容】
【手続補正８９】
【補正対象書類名】明細書
【補正対象項目名】０２１１
【補正方法】削除
【補正の内容】
【手続補正９０】
【補正対象書類名】明細書
【補正対象項目名】０２１２
【補正方法】削除
【補正の内容】
【手続補正９１】
【補正対象書類名】明細書
【補正対象項目名】０２１３
【補正方法】削除
【補正の内容】
【手続補正９２】
【補正対象書類名】明細書
【補正対象項目名】０２１４
【補正方法】削除
【補正の内容】
【手続補正９３】
【補正対象書類名】明細書
【補正対象項目名】０２１５
【補正方法】削除
【補正の内容】
【手続補正９４】
【補正対象書類名】明細書
【補正対象項目名】０２１６
【補正方法】削除
【補正の内容】
【手続補正９５】
【補正対象書類名】明細書
【補正対象項目名】０２１７
【補正方法】削除
【補正の内容】
【手続補正９６】
【補正対象書類名】明細書
【補正対象項目名】０２１８
【補正方法】削除
【補正の内容】
【手続補正９７】
【補正対象書類名】明細書
【補正対象項目名】０２１９
【補正方法】削除
【補正の内容】
【手続補正９８】
【補正対象書類名】明細書
【補正対象項目名】０２２０
【補正方法】削除
【補正の内容】
【手続補正９９】
【補正対象書類名】明細書
【補正対象項目名】０２２１
【補正方法】削除
【補正の内容】
【手続補正１００】
【補正対象書類名】明細書
【補正対象項目名】０２２２
【補正方法】削除
【補正の内容】
【手続補正１０１】
【補正対象書類名】明細書
【補正対象項目名】０２２３
【補正方法】削除
【補正の内容】
【手続補正１０２】
【補正対象書類名】明細書
【補正対象項目名】０２２４
【補正方法】削除
【補正の内容】
【手続補正１０３】
【補正対象書類名】明細書
【補正対象項目名】０２２５
【補正方法】削除
【補正の内容】
【手続補正１０４】
【補正対象書類名】明細書
【補正対象項目名】０２２６
【補正方法】変更
【補正の内容】
【０２２６】
（１２）請求項１２記載の発明では、放射線画像変換パネルに応じた撮影条件で撮影を実行でき、撮影される放射線画像変換パネル上の放射線画像情報をより診断に適した画像として得ることができる。
【手続補正１０５】
【補正対象書類名】明細書
【補正対象項目名】０２２７
【補正方法】変更
【補正の内容】
【０２２７】
（１３）請求項１３記載の発明では、放射線画像変換パネルの各種の情報により適した撮影条件で撮影を実行でき、撮影される放射線画像変換パネル上の放射線画像情報をより診断に適した画像として得ることができる。
【手続補正１０６】
【補正対象書類名】明細書
【補正対象項目名】０２２８
【補正方法】変更
【補正の内容】
【０２２８】
（１４）請求項１４記載の発明では、放射線画像変換パネルまたはカセッテに付されたパネル識別情報から放射線画像変換パネルに応じた撮影条件で撮影を実行でき、撮影される放射線画像変換パネル上の放射線画像情報をより診断に適した画像として得ることができる。
【手続補正１０７】
【補正対象書類名】明細書
【補正対象項目名】０２２９
【補正方法】変更
【補正の内容】
【０２２９】
（１５）請求項１５記載の発明では、放射線画像変換パネルを構成する蛍光体の情報に応じて適切な撮影条件で撮影を実行でき、撮影される放射線画像変換パネル上の放射線画像情報をより診断に適した画像として得ることができる。
【手続補正１０８】
【補正対象書類名】明細書
【補正対象項目名】０２３０
【補正方法】変更
【補正の内容】
【０２３０】
（１６）請求項１６記載の発明では、放射線画像変換パネルに関する情報に応じて適切な撮影条件で撮影を実行でき、撮影される放射線画像変換パネル上の放射線画像情報をより診断に適した画像として得ることができる。
【手続補正１０９】
【補正対象書類名】明細書
【補正対象項目名】０２３１
【補正方法】変更
【補正の内容】
【０２３１】
（１７）請求項１７記載の発明では、放射線画像変換パネルに応じた撮影条件で撮影を実行でき、撮影される放射線画像変換パネル上の放射線画像情報をより診断に適した画像として得ることができる。
【手続補正１１０】
【補正対象書類名】明細書
【補正対象項目名】０２３２
【補正方法】変更
【補正の内容】
【０２３２】
（１８）請求項１８記載の発明では、放射線画像変換パネルの各種の情報により適した撮影条件で撮影を実行でき、撮影される放射線画像変換パネル上の放射線画像情報をより診断に適した画像として得ることができる。
【手続補正１１１】
【補正対象書類名】明細書
【補正対象項目名】０２３３
【補正方法】変更
【補正の内容】
【０２３３】
（１９）請求項１９記載の発明では、放射線画像変換パネルまたはカセッテに付されたパネル識別情報から放射線画像変換パネルに応じた撮影条件で撮影を実行でき、撮影される放射線画像変換パネル上の放射線画像情報をより診断に適した画像として得ることができる。
【手続補正１１２】
【補正対象書類名】明細書
【補正対象項目名】０２３４
【補正方法】変更
【補正の内容】
【０２３４】
（２０）請求項２０記載の発明では、放射線画像変換パネルを構成する蛍光体の情報に応じて適切な撮影条件で撮影を実行でき、撮影される放射線画像変換パネル上の放射線画像情報をより診断に適した画像として得ることができる。
【手続補正１１３】
【補正対象書類名】明細書
【補正対象項目名】０２３５
【補正方法】変更
【補正の内容】
【０２３５】
（２１）請求項２１記載の発明では、放射線画像変換パネルに関する情報に応じて適切な撮影条件で撮影を実行でき、撮影される放射線画像変換パネル上の放射線画像情報をより診断に適した画像として得ることができる。